(57)【要約】  内部温度の均一化が可能な組電池モジュールを提供する。  本発明の組電池モジュール１００は、板状スペーサ１０１ａおよび１０１ｂ、放熱部材１０３ａおよび１０３ｂ、電極間配線具、複数の電池１０４を含み、スペーサ１０１ａおよび１０１ｂは、電池１０４を挿入して保持するための複数の電池挿入孔１０１ｃおよび１０１ｄを含み、前記電池挿入孔は、相互に間隔をおいて配置され、電池挿入孔１０１ｃおよび１０１ｄに電池１０４が挿入されて保持され、複数の電池１０４の電極間が、前記電極間配線具により電気的に接続され、放熱部材１０３ａが、電池１０４の一方の電極側に絶縁固定して取り付けられ、放熱部材１０３ｂが、電池１０４の他方の電極側に絶縁固定して取り付けられていることを特徴とする。
2011149076.tif 000002
【特許請求の範囲】
【請求項１】
組電池モジュールであって、
板状スペーサ、二つの放熱部材、電極間配線具および複数の電池を含み、
前記スペーサは、前記電池を挿入して保持するための複数の電池挿入孔を含み、
前記電池挿入孔は、相互に間隔をおいて配置され、
前記電池挿入孔に前記電池が挿入されて保持され、
前記複数の電池の電極間が、前記電極間配線具により電気的に接続され、
前記二つの放熱部材の一方が、前記電池の一方の電極側に絶縁固定して取り付けられ、
前記二つの放熱部材の他方が、前記電池の他方の電極側に絶縁固定して取り付けられている、
ことを特徴とする組電池モジュール。
【請求項２】
さらに、長軸状部材を含み、
前記スペーサは、前記長軸状部材を挿入して保持するための長軸状部材挿入孔を含み、
前記長軸状部材挿入孔に前記長軸状部材が挿入されて保持され、
前記長軸状部材の少なくとも一端が、前記二つの放熱部材の少なくとも一方に直接接触している、
ことを特徴とする請求の範囲１記載の組電池モジュール。
【請求項３】
さらに、電気絶縁性を有する熱伝導シートを含み、
前記電池の少なくとも一方の電極が、前記二つの放熱部材の少なくとも一方に、前記熱伝導シートを介して接触している、
ことを特徴とする請求の範囲１または２記載の組電池モジュール。
【請求項４】
さらに、連結部材を含み、
前記二つの放熱部材相互が、前記連結部材により締め上げられている、
ことを特徴とする請求の範囲１から３のいずれか一項に記載の組電池モジュール。
【請求項５】
前記長軸状部材が、中空管状であり、
前記連結部材が、ボルトとナットであり、
前記中空管状の長軸状部材に前記ボルトが挿通され、かつ前記ナットに螺合されることにより、前記二つの放熱部材相互が締め上げられている、
ことを特徴とする請求の範囲４記載の組電池モジュール。
【請求項６】
前記板状スペーサにおいて、前記長軸状部材挿入孔が、二つの前記電池挿入孔の間に配置され、
前記二つの電池挿入孔の間に配置された前記長軸状部材挿入孔に、前記長軸状部材が挿入されて保持されている、
ことを特徴とする請求の範囲２から５のいずれか一項に記載の組電池モジュール。
【請求項７】
前記長軸状部材が、中空管状であり、前記長軸状部材の管内を流体が通過可能である、
ことを特徴とする請求の範囲２から６のいずれか一項に記載の組電池モジュール。
【請求項８】
前記電池が、筒形電池であり、
前記電池挿入孔の形状が、前記筒形電池の円周に沿った形状である、
ことを特徴とする請求の範囲１から７のいずれか一項に記載の組電池モジュール。
【請求項９】
さらに、電圧監視端子を含み、
前記電圧監視端子が、前記電極間配線具に接続されている、
ことを特徴とする請求の範囲１から８のいずれか一項に記載の組電池モジュール。
【請求項１０】
前記長軸状部材が、熱伝導性を有する、
ことを特徴とする請求の範囲２から９のいずれか一項に記載の組電池モジュール。
【請求項１１】
前記二つの放熱部材の少なくとも一方が、前記長軸状部材の端部を挿入するための長軸状部材挿入孔を含み、
前記長軸状部材の端部が、前記長軸状部材挿入孔に挿入されている、
ことを特徴とする請求の範囲２から１０のいずれか一項に記載の組電池モジュール。
【請求項１２】
前記熱伝導シートが、前記長軸状部材の端部を挿入するための長軸状部材挿入孔を含み、
前記長軸状部材の端部が、前記長軸状部材挿入孔を通して前記放熱部材に接触している、
ことを特徴とする請求の範囲３から１１のいずれか一項に記載の組電池モジュール。
【請求項１３】
前記中空管状の長軸状部材が、アルミパイプである、
ことを特徴とする請求の範囲５から１２のいずれか一項に記載の組電池モジュール。
【請求項１４】
前記電池が、二次電池である、
ことを特徴とする請求の範囲１から１３のいずれか一項に記載の組電池モジュール。
【請求項１５】
前記複数の電池挿入孔における、一つの電池挿入孔の周縁部から隣接する他の電池挿入孔の周縁部までの最短距離が、２〜１０ｍｍの範囲である、
ことを特徴とする請求の範囲１から１４のいずれか一項に記載の組電池モジュール。
【発明の詳細な説明】
【技術分野】
【０００１】
本発明は、組電池モジュールに関する。
【背景技術】
【０００２】
近年、一次電池および二次電池の使用形態として、複数の単電池を組み合わせて電池ホルダーまたは電池ケース等の専用容器に収容してモジュール化した組電池モジュールがある。最近、電気自動車、建設機械または産業機械等における大電力（大容量）の要求に応じるために、さらに、組電池モジュールを直列および並列に接続して組み合わせた状態で使用されている。【０００３】
組電池モジュールにおいて、例えば、冬などの低温条件下では素早い出力のために加温が必要となる場合があり、また、冬以外の一般的な温度環境下では、放電時の発熱の冷却が必要となる場合等がある。特許文献１には、組電池モジュールの側面に設けられたチャンバダクトに冷媒を通過させて、組電池モジュールを冷却する技術が開示されている。また、特許文献２には、送風ブロア（ファン）を用いて空気を供給して、電池を冷却する技術が開示されている。
【先行技術文献】
【特許文献】
【０００４】
【特許文献１】特開２００９−０９９４９０号公報
【特許文献２】特開２００９−０５６９４０号公報
【発明の概要】
【発明が解決しようとする課題】
【０００５】
一方、組電池モジュールには、特に、放電時の電池の発熱に起因して、組電池モジュールの中央部付近に熱がこもり、中央部付近の電池のみ劣化が進むという局所的な高温の問題がある。中央部の電池のみ劣化が進んだ場合、周辺部の電池が未だ寿命があるにも関わらず、劣化した中央部の電池によって組電池モジュール全体が使用できなくなる。しかし、特許文献１および２の技術では、組電池モジュール内の局所的な発熱の問題を解決し、組電池モジュール内部の温度を均一化するのは困難である。【０００６】
そこで、本発明は、内部温度の均一化が可能な組電池モジュールを提供することを目的とする。
【課題を解決するための手段】
【０００７】
前記目的を達成するために、本発明の組電池モジュールは、
組電池モジュールであって、
板状スペーサ、二つの放熱部材、電極間配線具および複数の電池を含み、
前記スペーサは、前記電池を挿入して保持するための複数の電池挿入孔を含み、
前記電池挿入孔は、相互に間隔をおいて配置され、
前記電池挿入孔に前記電池が挿入されて保持され、
前記複数の電池の電極間が、前記電極間配線具により電気的に接続され、
前記二つの放熱部材の一方が、前記電池の一方の電極側に絶縁固定して取り付けられ、
前記二つの放熱部材の他方が、前記電池の他方の電極側に絶縁固定して取り付けられている、
ことを特徴とする。
【発明の効果】
【０００８】
本発明によれば、電池を保持するスペーサが板状であり、かつ前記板状スペーサの前記複数の電池挿入孔が相互に間隔をおいて配置されていることにより、電池と電池との間に空隙があるため、組電池モジュール内で空気が自由に流れることが可能である。その結果、組電池モジュール内の温度を均一にできる。
【図面の簡単な説明】
【０００９】
【図１】図１は、本発明の組電池モジュールの一例（実施形態１）の構成を示す分解斜視図である。
【図２】図２（ａ）は、実施形態１の組電池モジュールの構成を示す外観斜視図である。図２（ｂ）は、図２（ａ）に示す組電池モジュールのＩ−Ｉ方向に見た断面図である。図２（ｃ）は、図２（ａ）に示す組電池モジュールのＩＩ−ＩＩ方向に見た断面図である。
【図３】図３は、実施形態１の組電池モジュールのその他の例の構成を示す分解斜視図である。
【図４Ａ】図４Ａは、本発明の組電池モジュールのその他の例（実施形態２）の構成を示す分解斜視図である。
【図４Ｂ】図４Ｂ（ａ）は、実施形態２の組電池モジュールの一方の板状放熱部材側から見た平面図である。図４Ｂ（ｂ）は、図４Ｂ（ａ）に示す組電池モジュールのＩＩＩ−ＩＩＩ方向に見た断面図である。
【図５】図５は、実施形態２の組電池モジュールにおける中空管状の長軸状熱伝導性部材のその他の例を示す模式図である。
【図６】図６は、実施形態２の組電池モジュールのその他の例の構成を示す斜視図である。
【図７】図７（ａ）は、本発明の組電池モジュールのさらにその他の例（実施形態３）の構成を示す斜視図である。図７（ｂ）は、図７（ａ）に示す組電池モジュールのＩＶ−ＩＶ方向に見た断面図である。
【発明を実施するための形態】
【００１０】
本発明の組電池モジュールは、さらに、長軸状部材を含み、前記スペーサは、前記長軸状部材を挿入して保持するための長軸状部材挿入孔を含み、前記長軸状部材挿入孔に前記長軸状部材が挿入されて保持され、前記長軸状部材の少なくとも一端が、前記二つの放熱部材の少なくとも一方に直接接触していることが好ましい。この場合、本発明の組電池モジュールは、前記板状スペーサにおいて、前記長軸状部材挿入孔が、二つの前記電池挿入孔の間に配置され、前記二つの電池挿入孔の間に配置された前記長軸状部材挿入孔に、前記長軸状部材が挿入されて保持されていることが好ましい。また、本発明の組電池モジュールは、例えば、前記長軸状部材が、中空管状であり、前記長軸状部材の管内を流体が通過可能であるという形態であってもよい。また、本発明の組電池モジュールは、前記二つの放熱部材の少なくとも一方が、前記長軸状部材の端部を挿入するための長軸状部材挿入孔を含み、前記長軸状部材の端部が、前記長軸状部材挿入孔に挿入されていることが好ましい。前記長軸状部材は、熱伝導性を有することが好ましい。
【００１１】
本発明の組電池モジュールは、さらに、電気絶縁性を有する熱伝導シートを含み、前記電池の少なくとも一方の電極が、前記二つの放熱部材の少なくとも一方に、前記熱伝導シートを介して接触していることが好ましい。この場合、本発明の組電池モジュールは、前記熱伝導シートが、前記長軸状部材の端部を挿入するための長軸状部材挿入孔を含み、前記長軸状部材の端部が、前記長軸状部材挿入孔を通して前記放熱部材に接触していることが好ましい。
【００１２】
本発明の組電池モジュールは、さらに、連結部材を含み、前記二つの放熱部材相互が、前記連結部材により締め上げられていることが好ましい。
【００１３】
本発明の組電池モジュールは、前記長軸状部材が、中空管状であり、前記連結部材が、ボルトとナットであり、前記中空管状の長軸状部材に前記ボルトが挿通され、かつ前記ナットに螺合されることにより、前記二つの放熱部材相互が締め上げられていることが好ましい。前記中空管状の長軸状部材としては、例えば、アルミパイプ等があげられる。
【００１４】
本発明の組電池モジュールは、前記電池が、筒形電池であり、前記電池挿入孔の形状が、前記筒形電池の円周に沿った形状であることが好ましい。本発明の組電池モジュールは、前記電池が二次電池であることが特に好ましい。
【００１５】
本発明の組電池モジュールは、さらに、電圧監視端子を含み、前記電圧監視端子が、前記電極間配線具に接続されていることが好ましい。
【００１６】
本発明の組電池モジュールは、前記複数の電池挿入孔における、一つの電池挿入孔の周縁部から隣接する他の電池挿入孔の周縁部までの最短距離が、約２〜約１０ｍｍの範囲であることが好ましく、より好ましくは約３〜約６ｍｍの範囲であり、さらに好ましくは約４〜約５ｍｍの範囲である。
【００１７】
以下、本発明の組電池モジュールについて、例をあげて詳細に説明する。ただし、本発明は、下記の例に限定されない。なお、以下の図１から図７において、同一部分には同一符号を付している。
【００１８】
〔実施形態１〕
図１および図２に、本実施形態の組電池モジュールの構成を示す。図１は、本実施形態の組電池モジュールの構成を示す分解斜視図である。図２（ａ）は、本実施形態の組電池モジュールの外観斜視図である。図２（ｂ）は、図２（ａ）に示す組電池モジュールのＩ−Ｉ方向に見た断面図である。図２（ｃ）は、図２（ａ）に示す組電池モジュールのＩＩ−ＩＩ方向に見た断面図である。図１および図２に示すように、本実施形態の組電池モジュール１００は、二つの板状スペーサ１０１ａおよび１０１ｂと、熱伝導性を有する棒状の長軸状部材（長軸状熱伝導性部材）１０２ａと、熱伝導性を有する中空管状の長軸状部材（長軸状熱伝導性部材）１０２ｂと、二つの板状の放熱部材（板状放熱部材）１０３ａおよび１０３ｂと、複数の円筒形単電池１０４と、二つの熱伝導シート１０５ａおよび１０５ｂと、連結部材（固定用ボルト１０６および固定用ナット１０７）と、電極間配線具とを有する。図１において、板状放熱部材１０３ａ、熱伝導シート１０５ａ、棒状の長軸状熱伝導性部材１０２ａの一部、中空管状の長軸状熱伝導性部材１０２ｂの一部および円筒形単電池１０４の一部は、二点鎖線で示す。図１および図２では、説明の便宜上、前記電極間配線具の図示を省略している。以下において、前記「円筒形単電池」を、「単電池」ということがある。
【００１９】
板状スペーサ１０１ａおよび１０１ｂは、互いに同形状であり、矩形状の平板である。板状スペーサ１０１ａおよび１０１ｂは、それぞれ、単電池１０４の円周に沿った円形状で、かつ相互にほぼ一定の距離をおいて形成された電池挿入孔１０１ｃおよび電池挿入孔１０１ｄ（各２８箇所）を有する。図１における電池挿入孔１０１ｃおよび電池挿入孔１０１ｄは、図１において上下方向に列を作るように形成され、４個の列と３個の列が交互に形成されている。また、板状スペーサ１０１ａおよび１０１ｂには、それらの面方向中央付近において、隣り合う二つの電池挿入孔１０１ｃ、１０１ｄの間に複数の長軸状熱伝導性部材挿入孔１０１ｅ、１０１ｆが形成され、また、４つの角部付近にも長軸状熱伝導性部材挿入孔１０１ｇおよび１０１ｈが形成されている。複数の電池挿入孔１０１ｃおよび１０１ｄにおける、一つの電池挿入孔の周縁部から隣接する他の電池挿入孔の周縁部までの最短距離は、例えば、前述のとおりである。
【００２０】
板状スペーサ１０１ａおよび１０１ｂの形成材料は、放熱性の観点から、熱伝導性に優れる材料が好ましい。また、使用時に高熱となることを考慮して、前記形成材料は、熱変形しにくい材料が好ましい。前記形成材料としては、例えば、樹脂等の有機材料、セラミックス等の無機材料、金属材料等があげられる。前記樹脂としては、例えば、熱可塑性樹脂または熱硬化性樹脂があげられる。前記熱可塑性樹脂としては、例えば、ポリブチレンテレフタレート（ＰＢＴ）、ポリプロピレン（ＰＰ）、ナイロン、ポリフェニレンサルファイド（ＰＰＳ）、アクリロニトリル−ブタジエン−スチレン（ＡＢＳ）、変性ポリフェニレンエーテル（ＰＰＥ）、ポリアセタール（ＰＯＭ）、ポリエーテルエーテルケトン（ＰＥＥＫ）等があげられる。これらの中でも、前記ＰＢＴは、剛性、耐熱性、成形性等に優れるため、特に好ましい。前記「剛性」とは、例えば、曲げやねじり等の力に対して、歪まない性質を意味する。前記熱硬化性樹脂としては、例えば、フェノール樹脂、ユリア樹脂、エポキシ樹脂等があげられる。前記金属材料としては、例えば、銅、アルミニウム、銅合金、アルミニウム合金等があげられる。
【００２１】
単電池１０４としては、例えば、一次電池、二次電池等があげられる。これらの中でも、二次電池が好ましい。前記二次電池としては、例えば、リチウムイオン電池、ニッケルカドミウム蓄電池、ニッケル水素電池等があげられる。これらの中でも、リチウムイオン電池が特に好ましい。なお、本実施形態の組電池モジュールでは、組電池モジュールを構成する電池は、円筒形単電池であるが、本発明は、この例に限定されない。本発明の組電池モジュールを構成する単電池は、例えば、円筒形以外の形状の単電池であってもよい。
【００２２】
板状放熱部材１０３ａおよび１０３ｂは、互いに同形状であり、熱伝導性に優れる矩形状の平板である。板状放熱部材１０３ａおよび１０３ｂは、通常、金属製の板であり、電池の電極側に位置する面には、通常、絶縁フィルムが貼着されている。板状放熱部材１０３ａおよび１０３ｂの４つの角部付近には、長軸状熱伝導性部材挿入孔１０３ｃおよび１０３ｄが形成されている。板状放熱部材１０３ａおよび１０３ｂを形成する前記金属としては、例えば、アルミニウム、銅、各種ステンレス（ＳＵＳ）、鉄等があげられる。これらの中でも、コストと汎用性の観点から、アルミニウムが特に好ましい。
【００２３】
実施形態１において、熱伝導シート１０５ａおよび１０５ｂは、互いに同形状であり、熱伝導性および電気絶縁性を有する矩形状のシートである。なお、前記熱伝導シートが、電気絶縁性を有していれば、例えば、前記絶縁フィルムを省略することも可能であるため好ましい。熱伝導シート１０５ａおよび１０５ｂは、例えば、熱伝導性が高い材料から形成されたシートである。熱伝導シート１０５ａおよび１０５ｂは、それぞれ、それらの面方向中央寄りの部分に長軸状熱伝導性部材挿入孔１０５ｅおよび１０５ｆが形成され、また、４つの角部付近には長軸状熱伝導性部材挿入孔１０５ｃおよび１０５ｄが形成されている。熱伝導シート１０５ａおよび１０５ｂを形成する材料としては、例えば、ポリイミド、エポキシ、シリコーン、シリコーンセラミックス等があげられる。また、熱伝導シート１０５ａおよび１０５ｂの熱伝導性は、例えば、熱伝導率として、約１〜約１５Ｗ／ｍ・Ｋの範囲であり、好ましくは約３〜約１２Ｗ／ｍ・Ｋの範囲であり、より好ましくは約５〜約８Ｗ／ｍ・Ｋの範囲である。
【００２４】
長軸状熱伝導性部材は、棒状の長軸状熱伝導性部材１０２ａと、中空管状の長軸状熱伝導性部材１０２ｂとの二種類がある。中空管状の長軸状熱伝導性部材１０２ｂは、その中に連結部材であるボルトを通すことが可能であり、板状スペーサ１０１ａ、１０１ｂおよび板状放熱部材１０３ａ、１０３ｂの４つの角部付近に配置される。また、棒状の長軸状熱伝導性部材１０２ａは、中空管のものより熱伝導性が高く、板状スペーサ１０１ａ、１０１ｂおよび板状放熱部材１０３ａ、１０３ｂの面方向中央部付近において、電池と電池の間に配置される。
【００２５】
棒状の長軸状熱伝導性部材１０２ａおよび中空管状の長軸状熱伝導性部材１０２ｂの形成材料としては、例えば、金属材料、樹脂材料、無機材料等があげられる。前記金属材料としては、例えば、アルミニウム、銅、銀、各種ステンレス（ＳＵＳ）、鉄合金、銅合金等があげられる。前記樹脂材料としては、例えば、カーボンフィラーが充填された樹脂、金属フィラーが充填された樹脂、ポリフェニレンサルファイド（ＰＰＳ）、ポリエーテルエーテルケトン（ＰＥＥＫ）等があげられる。前記無機材料としては、例えば、炭素材料；アルミナ、カオリンまたはそれらの組み合わせ等のセラミックス等があげられる。これらの中でも、コストと汎用性の観点から、アルミニウムが特に好ましい。
【００２６】
図１および図２に示すように、板状スペーサ１０１ａおよび１０１ｂは、相互にほぼ一定の距離を置いて配置され、この状態で、各単電池１０４が電池挿入孔１０１ｃおよび１０１ｄに挿入されて、保持されている。このように、各単電池１０４が電池挿入孔１０１ｃおよび１０１ｄに保持されることで、本実施形態の組電池モジュールでは、各単電池１０４は、前記両板状スペーサに固定される。各単電池１０４は、図１の上下方向の列毎に電極の向きが異なるように、電池挿入孔１０１ｃおよび１０１ｄに挿入されて配置されている。図１には示さないが、各単電池１０４の電極には前記電極間配線具が、例えば、抵抗溶接により接続されて、隣り合う二つの単電池１０４の電極間が前記電極間配線具によって電気的に接続されている。本実施形態の組電池モジュールでは、各単電池１０４同士は、シリーズ接続（直列接続）されている。なお、前記各単電池が、前記上下方向の列において、例えば、隣接する単電池同士の電極の向きが異なるように挿入されて配置されている場合には、前記各単電池同士を、パラレル接続（並列接続）することもできる。また、板状スペーサ１０１ａおよび１０１ｂにおいて、中央部付近の長軸状熱伝導性部材挿入孔１０１ｅおよび１０１ｆには、棒状の長軸状熱伝導性部材１０２ａが挿入されて、保持されている。４つの角部付近の長軸状熱伝導性部材挿入孔１０１ｇおよび１０１ｈには、中空管状の長軸状熱伝導性部材１０２ｂが挿入されて、保持されている。このため、前記両長軸状伝導性部材は、前記両板状スペーサに固定されている。この状態で、単電池１０４の両電極側に、熱伝導シート１０５ａおよび１０５ｂが内側に位置するように、熱伝導シート１０５ａ、１０５ｂおよび板状放熱部材１０３ａ、１０３ｂが、それぞれ配置されている。この場合、各単電池１０４の両電極は、熱伝導シート１０５ａおよび１０５ｂに接触しており、棒状の長軸状熱伝導性部材１０２ａの両端は、熱伝導シート１０５ａおよび１０５ｂの長軸状熱伝導性部材挿入孔１０５ｅおよび１０５ｆを通して板状放熱部材１０３ａおよび１０３ｂに直接接触しており、中空管状の長軸状熱伝導性部材１０２ｂの両端は、熱伝導シート１０５ａおよび１０５ｂの長軸状熱伝導性部材挿入孔１０５ｃおよび１０５ｄ、板状放熱部材１０３ａおよび１０３ｂの長軸状熱伝導性部材挿入孔１０３ｃおよび１０３ｄを通して板状放熱部材１０３ａおよび１０３ｂに直接接触している。そして、中空管状の長軸状熱伝導性部材１０２ｂの一端からボルト１０６が挿入され、他端でナット１０７と螺合することにより、図２において矢印で示す方向に、２つの板状放熱部材１０３ａおよび１０３ｂを締め上げて、単電池１０４の両電極側から２つの板状放熱部材１０３ａおよび１０３ｂによって、各単電池１０４を挟んで保持している。本実施形態の組電池モジュールでは、前記放熱部材が平板状であるため、板状放熱部材１０３ａおよび１０３ｂにおける単電池１０４の電極側の面が平滑であり、例えば、単電池１０４を整列して配置できる。また、この場合、単電池１０４の両電極は、熱伝導シート１０５ａおよび１０５ｂに密着し、かつ熱伝導シート１０５ａおよび１０５ｂは板状放熱部材１０３ａおよび１０３ｂに密着するため、組電池モジュール内部と外部とが、単電池１０４、熱伝導シート１０５ａ、１０５ｂおよび板状放熱部材１０３ａ、１０３ｂを介して高効率で熱伝導可能である。また、棒状の長軸状熱伝導性部材１０２ａおよび中空管状の長軸状熱伝導性部材１０２ｂは、その両端が直接板状放熱部材１０３ａおよび１０３ｂに接触しているため、組電池モジュール内部と外部とが、前記二種類の長軸状熱伝導性部材１０２ａおよび１０２ｂ、板状放熱部材１０３ａおよび１０３ｂを介して高効率で熱伝導可能である。
【００２７】
本実施形態の組電池モジュールでは、前述のとおり、スペーサ１０１ａおよび１０１ｂが平板であり、かつ複数の電池挿入孔１０１ｃおよび１０１ｄが相互にほぼ一定の距離をおいて形成されていることにより、これらに挿入された各単電池１０４同士の間に空隙が形成される。このため、本実施形態の組電池モジュール内では、空気が自由に流れることが可能であり、内部温度を均一化が可能である。この結果、例えば、本実施形態の組電池モジュールの中央部分の単電池１０４の電池容量の低下（性能劣化）または寿命低下等の品質劣化（例えば、繰り返し充電による電池容量低下の促進等）を防止可能であり、組電池モジュールとしての製品安定性および信頼性を向上可能である。
【００２８】
本実施形態の組電池モジュールでは、ボルト１０６とナット１０７とで締め上げることにより、例えば、耐振性を向上可能であり、各単電池１０４の電極（正極または負極）に電気的に接続された部分を、例えば、振動から保護可能である。この結果、例えば、各単電池１０４間の電気的接続の不具合を低減でき、組電池モジュールとしての製品安定性および信頼性を向上可能である。また、本実施形態の組電池モジュールでは、各単電池１０４は、前記両電池挿入孔に挿入されて、保持されることで、前記両板状スペーサに固定されている。この結果、例えば、各単電池１０４を振動からより保護可能である。また、本実施形態の組電池モジュールでは、各単電池１０４の両電極および前記電極に電気的に接続された部分が、熱伝導シート１０５ａおよび１０５ｂに密着していることで、例えば、さらに耐振性に優れる。また、ボルト１０６とナット１０７とで締め上げても、長軸状熱伝導性部材１０２ａおよび１０２ｂにより、各単電池１０４の両電極および前記電極に電気的に接続された部分に過剰な押圧がかからないため、例えば、ショートを回避できる。
【００２９】
なお、本発明の組電池モジュール全体および各構成部材のサイズは、例えば、用いられる電池の大きさまたは形状（例えば、筒形等）、容量、電圧、数量または組電池モジュールの用途によって適宜決定される。
【００３０】
本発明の組電池モジュールの製造方法において、前記板状スペーサへの前記電池および前記長軸状熱伝導性部材の挿入は、人手によって行ってもよいが、例えば、自動化（ロボット化）して行うことで、効率的に組電池モジュールを製造可能である。
【００３１】
本実施形態の組電池モジュールでは、前記電池挿入孔が相互にほぼ一定の距離をおいて形成されているが、本発明は、これには限定されない。前記電池挿入孔は、前記各単電池同士の間に空隙を形成できるように、相互に間隔をおいて形成されていればよい。
【００３２】
本実施形態の組電池モジュールでは、前記板状スペーサは二つであるが、本発明は、これには限定されず、前記板状スペーサは、例えば、一つであってもよいし、三つ以上であってもよい。
【００３３】
本実施形態の組電池モジュールにおいて、前記電池挿入孔の配置は、図１に限定されず、例えば、図３の分解斜視図に示すような直線状に配置して形成されていてもよい。図３に示すように、この組電池モジュールにおける電池挿入孔１０１ｃおよび１０１ｄは、それぞれ、板状スペーサ１０１ａおよび１０１ｂの短手方向に直線状に５箇所形成され、同長手方向に直線状に６箇所形成されている（計３０箇所）。このように、前記板状スペーサに形成される電池挿入孔の配列および数は、例えば、要求される組電池モジュールの性能に応じて適宜設定可能である。また、前記電池間配線具と前記各単電池との電気的接続には、抵抗溶接の他に、例えば、レーザー溶接、アーク溶接、はんだ付けまたは導電性接着剤による接着等があげられる。
【００３４】
図１に示す本実施形態の組電池モジュールにおいて、前記棒状の長軸状熱伝導性部材は、長軸の円柱形であるが、本発明は、これには限定されず、例えば、円柱形の他に、三角柱、四角柱、五角柱、六角柱等の角柱形（多角柱）等があげられる。なお、放熱性の観点から、前記棒状の長軸状熱伝導性部材および前記中空管状の長軸状熱伝導性部材は、熱伝導性を有することが好ましいが、前記熱伝導性は必ずしも必要ではない。
【００３５】
本実施形態の組電池モジュールにおいて、前記棒状の長軸状熱伝導性部材の両方の端部が、前記二つの板状放熱部材に直接接触しているが、本発明は、これには限定されない。例えば、本実施形態の組電池モジュールのように、前記単電池の電極と前記板状放熱部材との間に、前記熱伝導シートが配置されていることにより、前記板状放熱部材と前記単電池の電極との間の電気絶縁性が保持されていればよい。また、前記棒状の長軸状熱伝導性部材の端部は、例えば、前記熱伝導シートを介して前記板状放熱部材に接触している状態であってもよい。ただし、熱伝導性の観点から、本実施形態の組電池モジュールのように、前記板状放熱部材に直接接触しているのが好ましい。
【００３６】
本実施形態の組電池モジュールにおいて、前記二つの板状放熱部材の前記単電池側の面には、前記熱伝導シートが配置されているが、本発明は、これには限定されない。前記熱伝導シートは、例えば、前記二つの板状放熱部材のいずれか一方に配置されていてもよいし、前記二つの板状放熱部材のいずれにも配置されていなくてもよい。また、本実施形態の組電池モジュールにおいて、前記放熱部材は平板状であるが、本発明は、これには限定されない。前記放熱部材における、前記単電池の電極側の面は、本実施形態の組電池モジュールのように、平滑（平板）であることが、電池の整列配置の観点から好ましい。一方、その反対側の面は、例えば、ヒダ状であってもよいし、フィン等の外部突起が形成されていてもよいし、湾曲面であってもよい。前記放熱部材の前記反対側の面がこれらの形状であれば、外表面の面積を拡張できて、例えば、組電池モジュール内部の熱をより効率良く放出可能である。
【００３７】
本実施形態の組電池モジュールは、例えば、さらに、電圧監視端子；サーミスタ、熱電対等の温度監視用センサー等を含んでもよい。前記電圧監視端子は、例えば、前記電極間配線具に接続される。前記電圧監視端子により、電圧監視計測器、電圧データ処理装置（図示せず）に接続できる。電圧の監視は、例えば、組電池モジュールを構成する各単電池の、充電時の過充電や放電時の過放電を防止し、各単電池の電圧を同じレベルに保つために有効である。電圧を監視することで、組電池モジュールを構成する、前記単電池の特性を平均化して、一部の電池に多大の負荷がかからないようにできる。このため、例えば、組電池モジュールの安定化、安全化が可能であるとともに、各単電池における寿命の低下を抑制できる。前記電圧監視端子は、例えば、前記電極間配線具から分岐した端子であってもよい。また、例えば、前記電極間配線具が前記電圧監視端子を兼ねてもよい。
【００３８】
〔実施形態２〕
本実施形態の組電池モジュールは、前記長軸状熱伝導性部材として、全て中空管状のものを用いた例である。図４Ａおよび図４Ｂに、本実施形態の組電池モジュールの構成を示す。図４Ａは、本実施形態の組電池モジュールを示す分解斜視図である。図４Ｂ（ａ）は、本実施形態の組電池モジュールを一方の板状放熱部材側から見た平面図である。図４Ｂ（ｂ）は、図４Ｂ（ａ）に示す組電池モジュールのＩＩＩ−ＩＩＩ方向に見た断面図である。図４Ａおよび図４Ｂに示すように、本実施形態の組電池モジュール２００では、中空管状の長軸状熱伝導性部材２０２ａが、板状スペーサ１０１ａおよび１０１ｂにおける中央部付近の長軸状熱伝導性部材挿入孔１０１ｅおよび１０１ｆに挿入され、かつ熱伝導シート１０５ａおよび１０５ｂの長軸状熱伝導性部材挿入孔１０５ｅおよび１０５ｆ、板状放熱部材１０３ａおよび１０３ｂの長軸状熱伝導性部材挿入孔１０３ｅおよび１０３ｆを通して、板状放熱部材１０３ａおよび１０３ｂに直接接触している。これら以外の構成は、前記実施形態１の組電池モジュールと同様である。
【００３９】
本実施形態の組電池モジュールでは、中空管状の長軸状熱伝導性部材２０２ａの管内に、流体を通過させることができる。このため、例えば、それぞれの中空管状の長軸状熱伝導性部材２０２ａの一端（図４Ｂ（ｂ）における左側端部）から、前記管内に流体を流入させて、中空管状の長軸状熱伝導性部材２０２ａの他端（図４Ｂ（ｂ）における右側端部）から流出させることができる。これにより、例えば、組電池モジュール内部の熱を外部に放出可能である。前記流体としては、例えば、空気、水、オイル、ＬＬＣ（冷却用冷媒：Ｌｏｎｇ  Ｌｉｆｅ  Ｃｏｏｌａｎｔ）等があげられる。
【００４０】
本実施形態の組電池モジュールにおいて、前記中空管状の長軸状熱伝導性部材は、例えば、図５に示すような一つのパイプで構成してもよい。図５に示す中空管状の長軸状熱伝導性部材は、連結された熱伝導部２０２ａ−１、２０２ａ−２、２０２ａ−３および２０２ａ−４を有する。このような形状であれば、例えば、流体２０８の流入箇所および流出箇所を、それぞれ一箇所ずつにでき、流出された流体の回収が容易である。また、例えば、循環型の流体供給が可能となる。
【００４１】
本実施形態の組電池モジュールは、例えば、流体を供給する流体供給装置を備えていてもよい。図６の斜視図に、前記流体供給装置を備える組電池モジュールの一例の構成を示す。図示のように、この組電池モジュールは、板状放熱部材１０３ａ側に配置された流体供給装置２１０を備える。図６において、流体供給装置２１０は、二点鎖線で示す。流体供給装置２１０は、流体供給口２１０ａから供給される流体２０８を、板状放熱部材１０３ａの長軸状熱伝導性部材挿入孔１０３ｅから能動的に供給して流入させる。前記流体供給装置としては、例えば、ファン、ポンプ、対流式熱交換器等があげられる。
【００４２】
〔実施形態３〕
本実施形態の組電池モジュールは、内部を加温可能な組電池モジュールの例である。図７に、本実施形態の組電池モジュールの構成を示す。図７（ａ）は、本実施形態の組電池モジュールの構成を示す斜視図である。図７（ｂ）は、図７（ａ）に示す組電池モジュールのＩＶ−ＩＶ方向に見た断面図である。図７に示すように、本実施形態の組電池モジュール３００は、組電池モジュール本体１００と、加温装置３１０とを備える。組電池モジュール本体１００は、前記実施形態１の組電池モジュールである。加温装置３１０は、組電池モジュール本体１００の板状放熱部材１０３ａに接して配置されている。加温装置３１０としては、例えば、ヒートパン、温水加温器等があげられる。図７（ａ）において、加温装置３１０は、二点鎖線で示す。
【００４３】
本実施形態の組電池モジュールでは、組電池モジュール内部と外部とが、板状放熱部材１０３ａ、熱伝導シート１０５ａおよび棒状の長軸状熱伝導性部材１０２ａ等を介して熱伝導可能であるため、加温装置３１０からの熱が、組電池モジュール本体１００内部に伝導されて、組電池モジュール本体１００内部を温めることができる。このため、例えば、冬などの低温条件下でも組電池モジュールの能力を確保できる。
【産業上の利用可能性】
【００４４】
本発明の組電池モジュールは、例えば、車載用予備電源、電池式充電機、車載用（急速）充電機、車載用太陽光発電用蓄電池等として使用できる。また、その用途としては、例えば、電気自動車・ハイブリッド型自動車、各種電装設備、電動自転車、電動バイク、産業機械、ロボット等への駆動電源のような、集電効率を高めた出力性能が要求される部分への電源があげられる。ただし、その用途は制限されず、広い分野に適用可能である。
【符号の説明】
【００４５】
１００、２００、３００    組電池モジュール
１０１ａ、１０１ｂ  板状スペーサ
１０１ｃ、１０１ｄ  電池挿入孔
１０１ｅ、１０１ｆ  板状スペーサに形成された棒状の長軸状熱伝導性部材１０２ａの挿入孔（長軸状部材挿入孔）
１０１ｇ、１０１ｈ  板状スペーサに形成された中空管状の長軸状熱伝導性部材１０２ｂの挿入孔（長軸状部材挿入孔）
１０２ａ  棒状の長軸状熱伝導性部材（長軸状部材）
１０２ｂ、２０２ａ  中空管状の長軸状熱伝導性部材（長軸状部材）
１０３ａ、１０３ｂ  板状放熱部材（放熱部材）
１０３ｃ、１０３ｄ  板状放熱部材に形成された中空管状の長軸状熱伝導性部材１０２ｂの挿入孔
１０３ｅ、１０３ｆ  板状放熱部材に形成された中空管状の長軸状熱伝導性部材２０２ａの挿入孔
１０４    円筒形単電池（電池）
１０５ａ、１０５ｂ  熱伝導シート
１０５ｃ、１０５ｄ  熱伝導シートに形成された中空管状の長軸状熱伝導性部材１０２ｂの挿入孔
１０５ｅ、１０５ｆ  熱伝導シートに形成された棒状の長軸状熱伝導性部材１０２ａの挿入孔
１０６    ボルト（連結部材）
１０７    ナット（連結部材）
２０２ａ−１、２０２ａ−２、２０２ａ−３、２０２ａ−４  熱伝導部
２０８    流体
２１０    流体供給装置
２１０ａ  流体供給口
３１０    加温装置
【図１】
2011149076.tif 000003
【図２】
2011149076.tif 000004
【図３】
2011149076.tif 000005
【図４Ａ】
2011149076.tif 000006
【図４Ｂ】
2011149076.tif 000007
【図５】
2011149076.tif 000008
【図６】
2011149076.tif 000009
【図７】
2011149076.tif 000010
【国際調査報告】
2011149076.tif 000011
2011149076.tif 000012
2011149076.tif 000013
2011149076.tif 000014